(57)【要約】【課題】複数のクラッカーを鳴らすためのクラッカー作動装置であって、複数のクラッカーを鳴らすための操作が簡易であるものを提供する。【解決手段】クラッカー作動装置１は、複数のクラッカー１０をその引き紐１１の引っ張り方向がいずれも第一方向Ｘとなるように配置するとともにこれらのクラッカー１０の第一方向Ｘへの移動が規制されるように支持できるクラッカー支持体１５と、第一方向Ｘと直交する第二方向Ｙに平行な回転軸４を中心として回転する回転体６と、回転体６の円周に第二方向Ｙに並べて配置された複数の連結体３０とを備えている。各連結体３０は、クラッカー１０の引き紐１１を連結できる紐連結部３１を有し、回転体６の所定の中心角に対応する円弧を円周方向に移動できるように構成されている。【選択図】図１
2011099657.tif 000002
【特許請求の範囲】
【請求項１】
複数のクラッカーをその引き紐の引っ張り方向がいずれも第一方向となるように配置するとともに前記複数のクラッカーの前記第一方向への移動が規制されるように支持できるクラッカー支持体と、
前記クラッカー支持体の前記第一方向に配置されて前記第一方向と直交する第二方向に平行な回転軸を中心として回転する回転体と、
前記回転体の円周に前記第二方向に並べて配置された複数の連結体とを備え、
前記連結体は、クラッカーの引き紐を連結できる紐連結部を有し、前記回転体の所定の中心角に対応する円弧を円周方向に移動できるように構成されていることを特徴とする、クラッカー作動装置。
【請求項２】
前記回転体は、前記連結体が移動する円弧と重複する作動溝を有し、
前記連結体は、前記作動溝内を移動可能且つ前記作動溝から挿脱不能に前記作動溝に遊挿された部材を含んでいる、請求項１に記載のクラッカー作動装置。
【請求項３】
前記連結体が移動する円弧の回転方向上流端を始端としたときに、前記複数の連結体の各々が移動する円弧の始端は同一位相である、請求項１又は請求項２に記載のクラッカー作動装置。
【請求項４】
前記連結体が移動する円弧の回転方向下流端を終端としたときに、前記複数の連結体の各々が移動する円弧の終端は相互に異なる位相である、請求項１から請求項３のいずれか一項に記載のクラッカー作動装置。
【請求項５】
前記連結体が移動する円弧の回転方向下流端を終端としたときに、前記終端の位置を前記回転体の円周上で変更できるように構成されている、請求項１から請求項４のいずれか一項に記載のクラッカー作動装置。
【請求項６】
前記クラッカー支持体は、クラッカーをその尖端から前記第一方向へ挿入することのできる筒体を前記第二方向に複数並べて構成されている、請求項１から請求項５のいずれか一項に記載のクラッカー作動装置。
【発明の詳細な説明】
【技術分野】
【０００１】
本発明は、複数のクラッカーを鳴らすための装置に関する。
【背景技術】
【０００２】
従来、クラッカーは、紙で成る三角コーン形（三角錐形）の本体と、本体内に収容された振動片及び火薬と、この火薬に一端が固め付けられ他端は本体の尖端から引き出された引き紐とで構成されている。クラッカーの引き紐を引っ張ると、引き紐と振動片との摩擦熱で内部の火薬が音を立てて爆発し、その爆風によって本体前端の発射口が開口するように構成されている。クラッカーには、爆発音だけのものや、本体に火薬に加え小巻テープや紙吹雪等の放出物が装填されて爆風に伴って放出物を発射口から放出するように構成されたものなどがある。
【０００３】
クラッカーは、例えば、パーティの演出などに用いられる。そこで、放出物、本体の形状、及び鳴らし方などに趣向を凝らしたクラッカーが知られている。例えば、特許文献１では、複数のクラッカーを短い時間間隔で爆発させることができるマシンガン式クラッカー作動装置が開示されている。特許文献１に記載されたクラッカー作動装置は、マシンガン形状の本体にその本体の銃口と同軸上にクラッカーを装填可能な挿入室と発射操作機構とが形成されており、この挿入室へ複数のクラッカーを連続的に供給するマガジンを本体に着脱可能に備えている。そして、本体に設けられたグリップを介して発射操作機構を操作することにより、挿入室に装填されたクラッカーの引き紐に引張力を付与してクラッカーの火薬体を爆発させるように構成されている。
【先行技術文献】
【特許文献】
【０００４】
【特許文献１】実開平７−２２２９６号公報
【発明の概要】
【発明が解決しようとする課題】
【０００５】
特許文献１に記載のクラッカー作動装置では、挿入室にクラッカーが連続して供給されるものの、クラッカーを一度鳴らすたびにグリップを操作せねばならないのでクラッカーが鳴る時間間隔はマシンガンというほどには短縮されず、複数のクラッカーを派手に連続して鳴らしたいという期待に応えることができない。さらに、より短い時間間隔で何個ものクラッカーを鳴らそうとする場合には操作が忙しなく失敗が生じることもある。
【０００６】
そこで、本発明は、複数のクラッカーを鳴らすためのクラッカー作動装置であって、複数のクラッカーを鳴らすための操作が簡易であるものを提供することを目的とする。
【課題を解決するための手段】
【０００７】
本発明に係るクラッカー作動装置は、複数のクラッカーをその引き紐の引っ張り方向がいずれも第一方向となるように配置するとともに前記複数のクラッカーの前記第一方向への移動が規制されるように支持できるクラッカー支持体と、前記クラッカー支持体の前記第一方向に配置されて前記第一方向と直交する第二方向に平行な回転軸を中心として回転する回転体と、前記回転体の円周に前記第二方向に並べて配置された複数の連結体とを備え、前記連結体は、クラッカーの引き紐を連結できる紐連結部を有し、前記回転体の所定の中心角に対応する円弧を円周方向に移動できるように構成されているものである。
【０００８】
上記構成によれば、クラッカー支持体に複数のクラッカーを装着し、連結体の紐連結部に引き紐を連結して、回転体を回転させれば、回転体の回転に伴って引き紐が引っ張られてクラッカーが鳴る。従って、複数のクラッカーを鳴らすための操作は回転体をおよそ１回転させるというシンプルで簡易なものであり、例え複数のクラッカーを比較的短い時間間隔で鳴らす場合であっても操作が忙しなくならず失敗がない。さらに、連結体が移動する円弧の終端の位置に応じてその連結体に連結されたクラッカーが鳴るタイミングが定まり、複数のクラッカーを時間間隔をおいて断続的に鳴らしたり、複数のクラッカーを時間間隔を極めて短くして連続的に鳴らしたり、或いは、複数のクラッカーを同時に鳴らしたりすることができる。これによれば、一本ずつ引き紐を引っ張る操作を行うときと比較してより短い時間間隔で複数のクラッカーを鳴らすことも可能であり、複数のクラッカーを比較的短い時間間隔で鳴らすことによって一層の場の盛り上がりが期待できる。
【０００９】
前記クラッカー作動装置において、前記回転体は、前記連結体が移動する円弧と重複する作動溝を有し、前記連結体は、前記作動溝内を移動可能且つ前記作動溝から挿脱不能に前記作動溝に遊挿された部材を含むように構成することができる。これによりクラッカー作動装置の構造が単純なものとなり、装置を安価に提供することが可能となる。
【００１０】
前記クラッカー作動装置において、前記連結体が移動する円弧の回転方向上流端を始端としたときに、前記複数の連結体の各々が移動する円弧の始端は同一位相であることがよい。これにより、クラッカー作動装置に装着するクラッカーの数だけ行う必要のある連結体の紐連結部にクラッカーの引き紐を連結させる作業を効率化することができる。
【００１１】
また、前記クラッカー作動装置において、前記連結体が移動する円弧の回転方向下流端を終端としたときに、前記複数の連結体の各々が移動する円弧の終端は相互に異なる位相とすることができる。これにより、クラッカー作動装置に装着された複数のクラッカーの鳴る時間をずらすことができ、複数のクラッカーを連続して鳴らすことができる。
【００１２】
さらに、前記クラッカー作動装置において、前記連結体が移動する円弧の回転方向下流端を終端としたときに、前記終端の位置を前記回転体の円周上で変更できるように構成することができる。これにより、複数のクラッカーが鳴る時間間隔を任意に設定することができる。
【００１３】
また、前記クラッカー作動装置において、前記クラッカー支持体は、クラッカーをその尖端から前記第一方向へ挿入することのできる筒体を前記第一方向と直交する方向に複数並べて構成することができる。このようにクラッカー支持体を簡易な構造とすることによって、装置を安価に提供することが可能となる。
【発明の効果】
【００１４】
本発明によれば、クラッカー支持体に複数のクラッカーを装着し連結体の紐連結部に引き紐を連結して回転体を回転させれば、複数のクラッカーを鳴らすことができる。このように複数のクラッカーを鳴らすための操作は回転体をおよそ１回転させるというシンプルで簡易なものとなり失敗がない。さらに、一本ずつ引き紐を引っ張る操作を行うときと比較してより短い時間間隔で複数のクラッカーを鳴らすことが可能となり、場の盛り上がりが期待できる。
【図面の簡単な説明】
【００１５】
【図１】本発明の実施の形態に係るクラッカー作動装置の全体的な構成を示した斜視図である。
【図２】クラッカー作動装置の平面図である。
【図３】クラッカー作動装置の側面図である。
【図４】各クラッカーとその作動部との関係を示す図であり、（ａ）は第一のクラッカーとその作動部とを示す側面一部断面図、（ｂ）は第二のクラッカーとその作動部とを示す側面一部断面図、（ｃ）は第三のクラッカーとその作動部とを示す側面一部断面図である。
【図５】クラッカーが鳴るまでの過程を時系列的に示す図である。
【図６】クラッカー作動装置の基台の変形例を示す側面図である。
【図７】クラッカー作動装置の回転体の変形例を示す一部平面図である。
【図８】図７におけるVIII−VIII矢視端面断面図である。
【発明を実施するための形態】
【００１６】
以下、本発明を実施するための形態について、図面を参照しながら、詳細に説明する。なお、以下では全ての図を通じて同一又は相当する要素には同一の参照符号を付して、その重複説明を省略する。
【００１７】
［クラッカー作動装置の構成］
クラッカー作動装置は、複数のクラッカーを時間間隔をおいて又は同時に鳴らすことのできる装置である。以下では、図１〜図３に示すように、クラッカー作動装置１を３個のクラッカー１０（１０ａ，１０ｂ，１０ｃ）を時間間隔をおいて鳴らす装置として構成した例に適用させて説明する。クラッカー作動装置１は、基台２と、この基台２上に設けられたクラッカー支持部１５及びクラッカー作動部１６とを備えている。基台２は傾きのない平板状のものであるが、例えば図６に示すように、基台２の上面を傾けた状態で保持できる機構を備えて基台２を傾けることができるようにしてもよい。
【００１８】
クラッカー１０は、紙で成る三角錐形の本体と、この本体内に収容された振動片及び火薬と、この火薬に一端が固め付けられ他端は本体の尖端から引き出された引き紐１１とで構成された花火である。このクラッカー１０の引き紐１１を所定の引き代の長さ分だけ引くと、引き紐１１と振動片との摩擦熱で内部の火薬が音を立てて爆発し、その爆風によって本体前端の発射口が開口する。クラッカー１０の構造は公知であるのでこれ以上の詳細な説明は省略する。
【００１９】
クラッカー支持部１５は複数のクラッカー１０を基台２上で支持するためのものであり、このクラッカー支持部１５で支持されている複数のクラッカー１０は、その引き紐１１の引っ張り方向がいずれも第一方向Ｘとなるように配置されており且つ第一方向Ｘへの移動が規制されている。本実施の形態に係るクラッカー支持部１５は、クラッカー１０をその尖端から第一方向Ｘへ挿入することのできる支持筒２０を第一方向Ｘと直交する第二方向Ｙに複数並べて構成されている。支持筒２０は、クラッカー１０の数に対応して３本備えられており、これらの支持筒２０は基台２に脚体２ａを介して固定されている。
【００２０】
各支持筒２０は、第一方向Ｘに延びる両端開放の筒状体であって、一方端にクラッカー１０をその尖端から挿入するための前開口２１を有し、他方端に挿入されたクラッカー１０の尖端と引き紐１１とを露出できるように上面が切り欠かれた後開口２２を有している。この支持筒２０の前開口２１の内周はクラッカー１０の最大径よりも小さいので、支持筒２０の前開口２１からクラッカー１０が挿入されると或位置で前開口２１の内周とクラッカー１０の外周とが圧接してクラッカー１０のそれ以上の第一方向Ｘへの移動が規制される。このようにクラッカー支持部１５に支持されて第一方向Ｘへの移動が規制されたクラッカー１０は、引き紐１１が引っ張られたときにその引っ張られた方向への移動が規制されることとなる。このように支持筒２０の形状を利用してクラッカー１０の第一方向Ｘへの移動を規制できるようにすることで、クラッカー作動装置１の構造が単純なものとなり、装置を安価に提供するために寄与することができる。なお、市販されている一般的なクラッカーは、軸方向長さが異なったとしても軸と母線の為す角に大きな個差はないので、市販されている一般的な小さめのクラッカーを支持できるように支持筒２０の前開口２１の大きさを定めれば、市販されている殆どのクラッカーを装着することが可能となる。
【００２１】
クラッカー作動部１６は、クラッカー支持部１５の第一方向Ｘ、即ち、クラッカー支持部１５に支持されたクラッカー１０の引き紐１１が引っ張られる方向に配置されている。クラッカー作動部１６は、第二方向Ｙに平行な回転軸（軸４）を中心として回転する回転体６と、この回転体６の円周に第二方向Ｙに並べて配置された複数の連結体３０とを備えている。本実施の形態に係る連結体３０は、クラッカー１０の数に対応して３個備えられている。各連結体３０は、クラッカー１０の引き紐１１を連結できる紐連結部３１を有し、回転体６の所定の中心角に対応する円弧を円周方向に移動できるように構成されている。
【００２２】
回転体６は、第二方向Ｙに延びる軸４を回転軸とする円筒状体である。軸４は、基台２に固定された軸受け３，３に回動可能に支承されており、軸４の一方端にはハンドル５が設けられている。なお、ハンドル５に代えて又はハンドル５と共に、軸４を回転駆動する電動モータ等の駆動手段をクラッカー作動部１６に備えることもできる。
【００２３】
回転体６は、連結体３０が移動する円弧と重複する部分に円弧状の作動溝７を有している。本実施の形態に係る回転体６は、その周面に第二方向Ｙに並ぶ３本の作動溝７ａ，７ｂ，７ｃを有している。第一の作動溝７ａと第一のクラッカー１０ａ、第二の作動溝７ｂと第二のクラッカー１０ｂ、及び第三の作動溝７ｃと第三のクラッカー１０ｃは、それぞれ平面視において第一方向Ｘと略平行な直線上に配置されており、以下、この同一直線上に配置された作動溝７とクラッカー１０との組み合わせを「対応している」という。
【００２４】
本実施の形態に係るクラッカー作動装置１は、ハンドル５を図３における時計回り（右回り）に回転操作するように構成されている。そこで、作動溝７の回転方向上流端を始端７ｓといい、作動溝７の回転方向下流端を終端７ｅということとする。換言すれば、連結体３０が移動する円弧の回転方向上流端が始端であり、回転方向下流側端が終端であることとなる。
【００２５】
図４（ａ）〜（ｃ）に示すように、第一の作動溝７ａの始端７ｓから終端７ｅまでの中心角θ１、第二の作動溝７ｂの始端７ｓから終端７ｅまでの中心角θ２、第三の作動溝７ｃの始端７ｓから終端７ｅまでの中心角θ３はいずれも異なり、θ１，θ２，θ３の順に大きくなるように設定されている。そして、これら３本の作動溝７ａ，７ｂ，７ｃは、いずれも始端７ｓは同一位相であり、終端７ｅは相互に異なる位相である。換言すれば、複数の連結体３０の各々が移動する回転体６の円弧の始端は同一位相であり、終端は相互に異なる位相であることとなる。
【００２６】
各作動溝７には、作動溝７内を移動可能且つ作動溝７から挿脱不能に連結体３０の一部分が遊挿されている。連結体３０は、板状体であって、その板状体の回転体６の内周側の両面においてそれぞれ突設された内周側ピン３４と、同じく板状体の回転体６の外周側の両面においてそれぞれ突設された外周側ピン３３と、同じく板状体の外周側ピン３３よりも更に回転体６の外周側において設けられた紐連結部３１とを備えている。内周側ピン３４と外周側ピン３３とによって、連結体３０は作動溝７を周方向に自在に移動できるが作動溝７から放射方向に抜け出すことはできないように規制されている。
【００２７】
本実施の形態に係る連結体３０は、二枚のクリップ板３１ｂ，３１ｂを二枚の固定板３２，３２でその両側から挟み込んで、これらの積層体を外周側ピン３３と内周側ピン３４とで圧着固定して構成されている。二枚のクリップ板３１ｂ，３１ｂは、これら両方を貫通する孔３１ａ，３１ａを有している。これらの孔３１ａ，３１ａにクラッカー１０の引き紐１１を挿通してから二枚のクリップ板３１ｂ，３１ｂの間に引き紐１１の自由端を挟み込むことによって、連結体３０の紐連結部３１にクラッカー１０の引き紐１１の一端が固定される。このように、クラッカー１０の引き紐１１を一つ一つ結ぶ手間無く、簡易且つ確実にクラッカー１０の引き紐１１を連結体３０に固定することができる。
【００２８】
なお、連結体３０が回転体６の所定の中心角に対応する円弧を円周方向に移動できるようにするための構造は、上記の作動溝７とこれに遊挿された連結体３０とを用いることで組み立てが簡易で単純な構造となって装置を安価に提供するために寄与しているが、これに限定されるものではない。例えば、回転体６の周面に円弧状のレールを形成し、連結体３０にこのレール上を移動する転動体を備えても上記の作動溝７及びこれに遊挿された連結体３０と同様の機能を果たすことができる。
【００２９】
［クラッカー作動装置の操作手順］
ここで、クラッカー作動装置１を利用して複数のクラッカー１０を鳴らす操作手順を説明する。まず、連結体３０を回転体６の作動溝７の始端７ｓに移動させておき、支持筒２０にクラッカー１０を挿入して、その引き紐１１を対応する作動溝７を移動できる連結体３０の紐連結部３１に固定する。なお、回転体６は、重りとなるハンドル５が下方位置にあるときにバランスがとれて静止するが、このように回転体６が静止しているときに、回転体６のクラッカー支持部１５側であって水平から１０〜６０度の範囲内に始端７ｓが位置するように各作動溝７が形成されている。上述の連結体３０の紐連結部３１にクラッカー１０の引き紐１１を連結させる作業はクラッカー作動装置１に装着するクラッカー１０の数だけ行う必要があるが、各作動溝７の始端７ｓが同一位相であることと連結体３０の紐連結部３１が支持筒２０に挿入されたクラッカー１０の紐１１に近い位置で静止することとによって、この回数の多い作業をより効率的に行うことができるようにしている。さらに、上記のようにクラッカー１０の引き紐１１を連結体３０の紐連結部３１に取り付け易い姿勢で連結体３０を静止させることができるように連結体３０、ハンドル５又は軸４にストッパを設けることもできる。
【００３０】
そして、図５（ａ）に示すように、全てのクラッカー１０の引き紐１１が対応する作動溝７を移動できる連結体３０の紐連結部３１に連結された状態でハンドル５を回して回転体６を回転させる。すると、図５（ｂ）に示すように、作動溝７は回転体６の回転に伴って円周方向に移動するが、連結体３０は自重により作動溝７をわずかに下方へ移動するもののクラッカー１０の引き紐１１に引っ張られて或位置で止まる。連結体３０に相対して作動溝７だけが回転して、図５（ｃ）に示すように、やがて作動溝７の終端７ｅに連結体３０が当接する。これ以降は回転体６の回転に伴って連結体３０も回転し、図５（ｄ）に示すように、円周方向に移動する連結体３０により引き紐１１が引っ張られてクラッカー１０が鳴る。
【００３１】
上述のようにして回転体６をおよそ１回転させるだけで、クラッカー作動装置１に備えた３個のクラッカー１０ａ，１０ｂ，１０ｃのうち、最も短い第一の作動溝７ａに遊挿された連結体３０に連結された第一のクラッカー１０ａが最初に鳴り、続いて、次に短い第二の作動溝７ｂに遊挿された連結体３０に連結された第二のクラッカー１０ｂが鳴り、最後に、最も長い第三の作動溝７ｃに遊挿された連結体３０に連結された第三のクラッカー１０ｃが鳴る。このように、クラッカー作動装置１に装着された複数のクラッカー１０は、対応する作動溝７の終端７ｅの位置が回転方向上流側にあるものから順番に鳴る。
【００３２】
クラッカー作動装置１に装着された複数のクラッカー１０が鳴るタイミングは、クラッカー１０に連結された連結体３０が移動する円弧の終端の位置に応じて定まる。よって、クラッカー作動装置１ではクラッカー１０に連結された連結体３０が移動する円弧の終端の位置を選択することによって、複数のクラッカーを時間間隔をおいて断続的に鳴らしたり、複数のクラッカーを極めて短い時間間隔で連続的に鳴らしたり、複数のクラッカーを同時に鳴らしたりすることができる。
【００３３】
例えば、クラッカー作動装置１が備える複数の連結体３０のうち、一組又は全ての連結体３０が移動する円弧の終端７ｅを同一位相とすれば、これらの連結体３０に連結された複数のクラッカー１０を同時に鳴らすことができる。また、例えば、クラッカー作動装置１が備える複数の連結体３０が移動する円弧の終端７ｅを相互に異なる位相とすれば、これらの連結体３０に連結された複数のクラッカー１０を位相差に応じた時間間隔をおいて断続的に鳴らすことができる。この位相差を小さくすれば時間間隔は短くなり、複数のクラッカー１０をほぼ連続して鳴らすこともできる。このように、クラッカー作動装置１を利用することによって、複数のクラッカー１０の引き紐１１を手で一つずつ引っ張るときと比較して、複数のクラッカーを鳴らす時間間隔をより短縮させることも可能である。しかも、何個ものクラッカーを鳴らす場合であっても、そのための操作はハンドル５をおよそ１回転させるだけのシンプル且つ簡易なものであるとともに、ハンドル５の腕の長さを長くすればより軽い力で引き紐１１を引っ張ることができるので、操作が忙しくならず失敗がない。
【００３４】
さらに、連結体３０が移動する円弧の終端の位置を回転体６の円周上で変更できるように構成しても良い。つまり、上記において作動溝７の終端７ｅの位置を任意に変更できるように構成してもよい。例えば、図７及び図８に示すように、回転体６上の作動溝７に第二方向Ｙの複数の溝７１，７１，，，を所定間隔で設け、このうち任意の一つの溝７１に作動溝７の終端７ｅとして機能するピン７０を挿入するように構成すれば、作動溝７の終端７ｅの位置（作動溝７の長さ，始端から終端までの中心角θ）を可変とすることができる。このようにして連結体３０が移動する円弧の終端（作動溝７の終端７ｅ）を回転体６上の任意の場所（位相）に設定できるようにすれば、クラッカー作動装置１に装着された複数のクラッカー１０が鳴るタイミングや時間間隔を任意に設定することが可能となる。
【００３５】
なお、本実施の形態に係るクラッカー作動装置１は、最大３個のクラッカーを鳴らすことができるように構成しているが、支持筒２０、連結体３０、及び作動溝７の数を適宜増大させることによって、更に多くの数のクラッカーを鳴らすための装置として構成することができる。
【００３６】
また、本実施の形態に係るクラッカー作動装置１は、ハンドル５を１回転させることによって３個のクラッカー１０を鳴らすことができるように構成されているが、ハンドル５を１回転させるごとにクラッカーを１個ずつ鳴らすように構成することもできる。例えば、軸４とハンドル５との間にギアを介することによってハンドル５の１回転に対し軸４をおよそ９０°回転させるようにするとともに、作動溝７の終端７ｅの位相を９０°ずつずらして設定すれば、ハンドル５を１回転させるごとに１個のクラッカー１０を鳴らすことができる。
【００３７】
また、本実施の形態に係るクラッカー作動装置１は、クラッカー１０を鳴らす引き金としての役割を果たすハンドル５を備えているが、この引き金としての役割を果たすものはハンドル５に限定されない。例えば、軸４と連動するレバーを設け、レバーを引くごとに軸４が所定角度だけ回転するように構成して、このレバーにクラッカー１０を鳴らす引き金としての役割を与えても良い。
【産業上の利用可能性】
【００３８】
本発明は、火薬を使ったクラッカーに限らず、空気圧を利用したクラッカーなどを含めて引き紐を引っ張って鳴らす形式の複数のクラッカーを鳴らすための装置として利用することができる。
【符号の説明】
【００３９】
１  クラッカー作動装置
２  基台
３  軸受け
４  軸（回転軸）
５  ハンドル
６  回転体
７  作動溝
１０  クラッカー
１１  引き紐
１５  クラッカー支持部（クラッカー支持体）
１６  クラッカー作動部
２０  支持筒
３０  連結体
３１  紐連結部
【図１】
2011099657.tif 000003
【図２】
2011099657.tif 000004
【図３】
2011099657.tif 000005
【図４】
2011099657.tif 000006
【図５】
2011099657.tif 000007
【図６】
2011099657.tif 000008
【図７】
2011099657.tif 000009
【図８】
2011099657.tif 000010